【事件の表示】
　平成　９年特許願第１３４１００号「無線呼出装置」拒絶査定に対する審判事件［平成１０年１２月　８日出願公開、特開平１０−３２７４４４］について、次のとおり審決する。
【結　論】
　本件審判の請求は、成り立たない。
【理　由】
１．手続きの経緯・本願発明
　本願は、平成９年５月２３日の出願であって、その請求項１に係る発明は、平成１１年８月９日付けの手続補正書により補正された特許請求の範囲の請求項１に記載された事項により特定される次のとおりのものと認める。
「【請求項１】基地局より送信された無線信号をアンテナを介して受信し、復調処理する無線部と、
　該無線部を通して得られた受信データを復号処理するデコーダと、
　該デコーダから無線情報を取り込んで制御監視処理を行う制御部と、
　前記受信データ中のメッセージを表示する表示部と、
　該表示部にて表示されたメッセージ情報を保管する保管手段と、
　該保管手段にて保管した受信メッセージの内容を編集し、または新たに入力するフリー伝言内容と予め登録されている定型伝言内容とを混在させて新規内容を作成するメッセージ作成手段と、
　該メッセージ作成手段にて作成された情報データを、プッシュホンから情報を提供する場合のキーに対応する情報データとして出力する出力手段とを備えたことを特徴とする無線呼出装置。」
２．引用例の記載
　これに対し、原査定の拒絶の理由に引用した特開平９−１３５３０２号公報（平成９年５月２０日出願公開）（以下「引用例」という。）には、下記の事項が記載されている。
「【０００８】そこで、本発明は、・・・定型伝言メッセージを編集可能な構成として、メッセージの作成の自由度を高くし、操作者の使い勝手の良いメッセージデータ編集装置を提供することを目的とする。」
「【００２３】
【発明の実施の形態】以下、図１〜図８を参照して本発明が適用される好適な実施の形態を説明する。
【００２４】図１〜図８は、本発明の、メッセージデータ編集装置を電子手帳ページャーに適用した実施の形態を示す図である。
　本実施の形態の電子手帳ページャーは、電卓機能、電話帳機能、オートダイアラ機能及びページャー機能を備え、ページャー機能を通常機能とする電子機器である。」
「【００３３】図２は、図１に示した電子手帳ページャー１のブロック構成図であり、本実施の形態の電子手帳ページャー１は、アンテナ２１、受信回路２２、デコーダ２３、ＩＤ−ＲＯＭ２４、キー入力部２５、ＣＰＵ２６、変換テーブル２７、入力バッファ２８、キャラクタジェネレータ（ＣＧ）２９、受信バッファ３０、受信メッセージメモリ３１、編集バッファ３２、編集メッセージメモリ３３、ＴＥＬバンクメモリ３４、定型伝言メモリ３５、トーン信号発生部３６、スピーカ３７、報知信号発生部３８、スピーカ３９、変換バッファ４０、表示バッファ４１及び表示部４２から構成される。
【００３４】アンテナ２１は、図外の無線基地局から無線で送信される呼出信号を受信して受信回路２２に出力する。受信回路２２は、デコーダ２３から入力される間欠信号により制御され、アンテナ２１から入力される呼出信号を間欠受信し、受信信号を増幅、復調してデコーダ２３に出力する。
【００３５】デコーダ２３は、受信回路２２から入力される呼出信号の呼出番号が自己の認識番号と一致するか否かを、予め認識番号を登録してあるＩＤ−ＲＯＭ２４を参照して判断し、一致していればＣＰＵ２６に呼出検出信号を出力するとともに、受信回路２２の信号受信を継続し、続いて受信されるメッセージデータもＣＰＵ２６に出力する。キー入力部２５は、上記図１に示した各種キーから構成され、各キーからの指示をＣＰＵ２６に出力する。
【００３６】変換テーブル２７は、図３に示す如きフリー伝言マトリックス文字配列表を格納している。・・・
【００３７】入力バッファ２８は、キー入力部２５におけるテンキー操作により入力される送信メッセージ用の文字情報を一時的に格納するのに利用される。キャラクタジェネレータ（ＣＧ）２９は、ＣＰＵ２６からの要求に応じて表示部４２に表示させるための複数のキャラクタパターンを発生し、ＣＰＵ２６に出力する。
【００３８】受信バッファ３０は、ＣＰＵ２６と受信メッセージメモリ３１との間で授受される受信メッセージデータを一時的に格納するメモリエリアを形成する。受信メッセージメモリ３１は、ＣＰＵ２６から受信バッファ３０を介して入力される一回受信分のメッセージデータ（２０桁分）を記憶する記憶エリアを複数有している。
【００３９】編集バッファ３２は、ＣＰＵ２６と編集メッセージメモリ３３との間で授受される編集されたメッセージデータを一時的に格納するメモリエリアを形成する。編集メッセージメモリ３３は、ＣＰＵ２６から編集バッファ３２を介して入力される編集されたメッセージデータを複数記憶する。
【００４０】ＴＥＬバンクメモリ３４は、図５に示すように、複数のメモリバンクを有し、ＣＰＵ２６から入力される電話番号情報を、短縮Ｎｏ．及びページャーの識別情報”Ｐ”とともに記憶する。尚、かかるＴＥＬバンクメモリ３４には、キー入力部２５から入力されたものだけでなく、受信メッセージデータを編集したものも記憶される。
【００４１】定型伝言メモリ３５は、図４に示す如き定型伝言テーブルを格納している。図４に示す定型伝言テーブルは、「０１」、「０２」・・・等の伝言コードに「キンキュウ」、「ＴＥＬセヨ」・・・等の定型伝言メッセージが対応している。そして、着信したメッセージデータに定型メッセージ識別コード「［［」が存在した場合、かかる識別コードの後に続く、２桁の数値データ即ち伝言コードに対応する定型伝言メッセージが定型伝言テーブルから読み出される。例えば、着信したメッセージデータが「［［２１［［４２」であれば、定型伝言テーブルから「エキマエニイマス」という定型伝言メッセージが読み出される。
【００４２】トーン信号発生部３６は、ＣＰＵ２６から入力されるメッセージデータをＤＴＭＦ信号に変換してスピーカ３７から出力する。これは、オートダイアラ機能で相手先電話番号及び送信用メッセージデータをダイヤルトーン信号に変換してプッシュホンの送話器に出力する際に利用される。」
「【００４６】また、ＣＰＵ２６には、キー入力部２５により入力された文字情報をフリー伝言コードに変換したり、受信したメッセージデータのフリー伝言コードを文字情報に変換する変換テーブル２７が接続されている。」
「【００５０】さらに、ＣＰＵ２６は、メモリキー８の操作により、受信メッセージメモリ３１に記憶された受信メッセージデータの読み出しが指示された時、後述する受信メッセージデータの読み出し処理を実行して、受信メッセージデータに応じて、対応する表示内容データをフリー伝言マトリックス文字配列表若しくは定型伝言テーブルから読み出して液晶表示部１７（表示部４２）に表示する。次いで、編集キー７の操作により、その読み出した受信メッセージデータの変更が指示された時、受信メッセージデータに伝言コードが含まれているか否かを判別し、伝言コードが含まれていると判断した場合には、伝言コードをフリー伝言データに変換した後、受信メッセージデータ編集処理を実行し、カーソルキー１６ｃ、１６ｄにより指示される変更箇所のメッセージ内容を変更して、編集メッセージデータを作成する。そして、その作成した編集メッセージデータを、実行キー１５の指示により編集メッセージメモリ３３に記憶して、また、ダイヤルキー１８の指示によりトーン信号発生部３６によりＤＴＭＦ信号に変換させてスピーカー３７から出力させる。」
「【００６３】・・・下記図８のフローチャートでは、定型伝言メッセージの編集操作の指示があった場合に、伝言コードをフリー伝言データに変換する実施の形態を説明する。」
「【００６６】また、ステップＳ２４で編集キー７の操作により”メッセージ編集モード”がセットされた時は、受信メッセージ編集処理を実行して、メッセージデータの編集処理を行い（ステップＳ２５）、この受信メッセージ編集処理中に、定型伝言メッセージ部分の編集操作の指示があった場合は（ステップＳ２６）、伝言コードをフリー伝言データに変換して（ステップＳ２７）、編集操作に応じた定型伝言メッセージの編集処理を実行し（ステップＳ２８）、ステップＳ２５に移行する。一方、ステップＳ２６で定型伝言メッセージの編集操作の指示がなかった場合は（ステップＳ２６）、ステップＳ３４に移行して実行キー１５の入力待ちとなり（ステップＳ３４）、実行キー１５が操作された時は、メッセージ編集モードを終了し、ステップＳ２９に移行して、作成された編集メッセージを、編集バッファ３１を介した後、編集メッセージメモリ３３に記憶し（ステップＳ２９）、ステップＳ３４で実行キー１５の操作がなければ、ステップＳ２５に移行する」
「【００６８】以上説明したように、図８に示した実施の形態においては、メッセージデータを編集するにあたって、メッセージデータに含まれる定型伝言メッセージの部分を編集する指示があった場合に、伝言コードをフリー伝言データに変換する構成である故、メッセージデータの定型伝言メッセージ以外のデータを編集する際には、伝言コードがフリー伝言コードに変換されないため、メモリの有効利用及び送信データ量の節約が可能となる。なぜならば、伝言コードをフリー伝言データに変換すると桁数が増えるからである。
【００６９】なお、上記した実施の形態等においては、受信した伝言コードをフリー伝言データに変換する構成としたが、データの編集は、かかる受信メッセージに限るものではなく、例えば、メッセージ作成モードにおいて、キー入力部２５の指示により入力した定型伝言メッセージを編集して送信メッセージを作成する際にも適用可能である。このような構成とすれば、定型伝言メッセージを利用してメッセージを作成することができるようになるので、メッセージ作成を容易に行うことができるようになる。
【００７０】また、上記した実施の形態等においては、伝言コードをフリー伝言データに変換することにより、定型文メッセージを編集する構成であるが、これに限るのもではなく、例えば、受信したデータ（フリー伝言、定型伝言、数字データ）を全て、同一規格の文字コード（ＪＩＳコード）等のテキストデータに変換した後に、編集処理を行い、送信時に編集されたテキストデータをフリー伝言データに変換する構成としても良い。」
　したがって、引用例には、
　基地局より送信された無線信号をアンテナ２１を介して受信し、復調処理する受信回路２２と、
　該受信回路２２を通して得られた受信データを復号処理するデコーダ２３と、
　該デコーダ２３から無線情報を取り込んで制御監視処理を行うＣＰＵ２６と、
　該受信データ中のメッセージを表示する表示部４２と、
該表示部４２にて表示されたメッセージ情報を記憶する受信メッセージメモリ３１と、
　該受信メッセージメモリ３１にて記憶した受信メッセージの内容を編集するメッセージ作成手段と、
　該メッセージ作成手段にて作成された編集メッセージデータを、プッシュホンから情報を提供する場合のキーに対応するデータとして出力する手段とを備えたことを特徴とするページャー
が記載されている。
３．対比・判断
　本願の請求項１に係る発明（以下「前者」という。）と上記引用例に記載の発明（以下「後者」という。）を比較する。
　両者は、いずれも無線呼出装置であって、後者の「受信回路２２」、「ＣＰＵ２６」、「受信メッセージメモリ３１」は、それぞれ前者の「無線部」、「制御部」、「保管手段」に対応しており、
　両者は、基地局より送信された無線信号をアンテナを介して受信し、復調処理する無線部と、
  該無線部を通して得られた受信データを復号処理するデコーダと、
  該デコーダから無線情報を取り込んで制御監視処理を行う制御部と、
  前記受信データ中のメッセージを表示する表示部と、
  該表示部にて表示されたメッセージ情報を保管する保管手段と、
  該保管手段にて保管した受信メッセージの内容を編集するメッセージ作成手段と、
  該メッセージ作成手段にて作成された情報データを、プッシュホンから情報を提供する場合のキーに対応する情報データとして出力する出力手段とを備えたことを特徴とする無線呼出装置である点で一致し、
　メッセージ作成手段が、前者では、または新たに入力するフリー伝言内容と予め登録されている定型伝言内容とを混在させて新規内容を作成するのに対し、
　後者では、そのことが明確ではない点で相違している。
　次に、上記相違点について検討する。
　後者の段落【００６６】には、「この受信メッセージ編集処理中に、定型伝言メッセージ部分の編集操作の指示があった場合は（ステップＳ２６）、伝言コードをフリー伝言データに変換して（ステップＳ２７）、編集操作に応じた定型伝言メッセージの編集処理を実行し（ステップＳ２８）、ステップＳ２５に移行する。一方、ステップＳ２６で定型伝言メッセージの編集操作の指示がなかった場合は（ステップＳ２６）、ステップＳ３４に移行して実行キー１５の入力待ちとなり（ステップＳ３４）」と、同じく段落【００６８】には、「メッセージデータに含まれる定型伝言メッセージの部分を編集する指示があった場合に、伝言コードをフリー伝言データに変換する構成である故、メッセージデータの定型伝言メッセージ以外のデータを編集する際には、伝言コードがフリー伝言コードに変換されない」と、同じく段落【００７０】には、「例えば、受信したデータ（フリー伝言、定型伝言、数字データ）を全て、同一規格の文字コード（ＪＩＳコード）等のテキストデータに変換した後に、編集処理を行い、送信時に編集されたテキストデータをフリー伝言データに変換する構成としても良い。」とが記載されている。
　段落【００６６】と【００６８】の記載によれば、上記メッセージデータには、定型伝言メッセージと定型伝言メッセージ以外のデータが含まれ、
　段落【００７０】の記載によれば、受信データには、フリー伝言と定型伝言とが含まれることが読み取れる。
　上記定型伝言メッセージ以外のデータは、段落【００７０】の記載を参酌すると、フリー伝言データと解することができるので、上記メッセージデータは、フリー伝言データと定型伝言データとが混在したデータと解することができる。
　また、段落【００６９】には、「データの編集は、かかる受信メッセージに限るものではなく、例えば、メッセージ作成モードにおいて、キー入力部２５の指示により入力した定型伝言メッセージを編集して送信メッセージを作成する際にも適用可能である。」と記載され、データの編集は、受信メッセージに限られず、新たなメッセージを作成することも示唆されている。
　しかも、表示付個別選択呼出受信機において、予め登録されている定型文（前者の「定型伝言内容」に相当する。）と任意の文（前者の「フリー伝言内容」に相当する。）とが混在したデータを作成することは原査定で周知例として引用された特開平３−６０５３９号公報に記載されているように当業者にとって広く知られた技術にすぎない。
　以上のことを総合的に勘案して、後者においても、メッセージ作成手段が、または新たに入力するフリー伝言内容と予め登録されている定型伝言内容とを混在させて新規内容を作成するようにすることは当業者が容易に推考し得ることである。
　また、本願発明の効果についてみても、上記事項の採用に伴って当然に予測される程度のものにすぎず、格別顕著なものがあるとは認められない。
４．むすび
　以上のとおりであるから、本願の請求項１に係る発明は、上記引用例に記載された発明及び周知技術に基いて当業者が容易に発明をすることができたものであるから、特許法第２９条第２項の規定により特許を受けることができない。
　よって、結論のとおり審決する。